(57)【要約】【課題】  メッセンジャーの表示制御方法及び通信端末を提供する。【解決手段】  対象吹き出し決定部が第１条件に基づいて、チャット画面内の対話相手の吹き出しのうち、エフェクトを適用する対象吹き出しを決定するステップと、エフェクト決定部が第２条件に基づいて、対象吹き出しに適用されるエフェクトを決定するステップと、エフェクト適用部が対象吹き出しにエフェクトを適用するステップと、を含むメッセンジャーの表示制御方法である。【選択図】      図４
2016212878.tif 000002
【特許請求の範囲】
【請求項１】
対象吹き出し決定部が、第１条件に基づいてチャット画面内の対話相手の吹き出しのうち、エフェクトを適用する対象吹き出しを決定するステップと、
エフェクト決定部が、第２条件に基づいて前記対象吹き出しに適用される前記エフェクトを決定するステップと、
エフェクト適用部が前記対象吹き出しに前記エフェクトを適用するステップと、を含むメッセンジャーの表示制御方法。
【請求項２】
前記エフェクトを適用するステップは、
前記エフェクト適用部が前記対象吹き出しに対応するオブジェクトに、前記エフェクトに含まれた視覚的効果を適用することを特徴とする、請求項１に記載のメッセンジャーの表示制御方法。
【請求項３】
前記オブジェクトは、前記対象吹き出しのフレーム及び前記対象吹き出し内テキストのうちいずれか１つ以上を含み、
前記エフェクトは、前記オブジェクトのサイズ増大、前記オブジェクトの色相変更及び前記オブジェクトの太さ増大のうち、いずれか１つ以上の視覚的効果を含むことを特徴とする、請求項２に記載のメッセンジャーの表示制御方法。
【請求項４】
前記対象吹き出しを決定するステップは、
前記対象吹き出し決定部が１つ以上の吹き出しを前記対象吹き出しとして決定することを特徴とする、請求項３に記載のメッセンジャーの表示制御方法。
【請求項５】
前記エフェクトを決定するステップは、
前記エフェクト決定部が前記第２条件に基づいて、前記対象吹き出しそれぞれに対し順位を付け、前記対象吹き出しの順位が高い順に前記視覚的効果の強度が高くなるように前記エフェクトを決定することを特徴とする、請求項４に記載のメッセンジャーの表示制御方法。
【請求項６】
前記第１条件または前記第２条件は、
最近選択されたか、ユーザが読んだか、最近生成されたか及び下端位置であるかのうち、いずれか１つ以上を含むことを特徴とする、請求項５に記載のメッセンジャーの表示制御方法。
【請求項７】
前記メッセンジャーの表示制御方法は、
追加エフェクト適用部が前記チャット画面への選択信号に基づいて、前記チャット画面に追加エフェクトを適用するステップをさらに含むことを特徴とする請求項３に記載のメッセンジャーの表示制御方法。
【請求項８】
前記追加エフェクトを適用するステップは、
前記対話相手の吹き出しへの選択信号が入力された場合、前記追加エフェクト適用部が前記吹き出し内テキストを別途の画面を介して拡大表示することを特徴とする、請求項７に記載のメッセンジャーの表示制御方法。
【請求項９】
前記追加エフェクトを適用するステップは、
前記チャット画面の背景への選択信号が入力された場合、前記追加エフェクト適用部が前記吹き出しに適用された前記エフェクトを解除することを特徴とする、請求項７に記載のメッセンジャーの表示制御方法。
【請求項１０】
第１条件に基づいて、チャット画面内の対話相手の吹き出しのうち、エフェクトを適用する対象吹き出しを決定する対象吹き出し決定部と、
第２条件に基づいて、前記対象吹き出しに適用される前記エフェクトを決定するエフェクト決定部と、
前記対象吹き出しに前記エフェクトを適用するエフェクト適用部と、を含む通信端末。
【請求項１１】
前記エフェクト適用部は、
前記対象吹き出しに対応するオブジェクトに前記エフェクトに含まれた視覚的効果を適用することを特徴とする、請求項１０に記載の通信端末。
【請求項１２】
前記オブジェクトは、前記対象吹き出しのフレーム及び前記対象吹き出し内テキストのうち、いずれか１つ以上を含み、
前記エフェクトは、前記オブジェクトのサイズ増大、前記オブジェクトの色相変更及び前記オブジェクトの太さ増大のうち、いずれか１つ以上の視覚的効果を含むことを特徴とする、請求項１１に記載の通信端末。
【請求項１３】
前記対象吹き出し決定部は、
１つ以上の吹き出しを前記対象吹き出しとして決定することを特徴とする、請求項１２に記載の通信端末。
【請求項１４】
前記エフェクト決定部は、
前記第２条件に基づいて、前記対象吹き出しそれぞれに対し順位を付け、前記対象吹き出しの順位が高い順に前記視覚的効果の強度が高くなるように前記エフェクトを決定することを特徴とする、請求項１３に記載の通信端末。
【請求項１５】
前記第１条件または第２条件は、
最近選択されたか、ユーザが読んだか、最近生成されたか及び下端位置であるかのうち、いずれか１つ以上を含むことを特徴とする、請求項１４に記載の通信端末。
【請求項１６】
前記通信端末は、
前記チャット画面への選択信号に基づいて、前記チャット画面に追加エフェクト適用部をさらに含むことを特徴とする請求項１２に記載の通信端末。
【請求項１７】
前記追加エフェクト適用部は、
前記対話相手の吹き出しへの選択信号が入力された場合、前記吹き出し内テキストを別途の画面を介して拡大表示することを特徴とする、請求項１６に記載の通信端末。
【請求項１８】
前記追加エフェクト適用部は、
前記チャット画面の背景への選択信号が入力された場合、前記吹き出しに適用された前記エフェクトを解除することを特徴とする、請求項１６に記載の通信端末。
【請求項１９】
コンピュータを利用して、請求項１乃至９のうち、いずれか１項に記載の方法をコンピュータに実行させるためのコンピュータプログラム。
【請求項２０】
請求項１乃至９のうち、いずれか１項に記載の方法をコンピュータに実行させるためのプログラムを配布する配布サーバ。
【発明の詳細な説明】
【技術分野】
【０００１】
本発明の実施例は、メッセンジャーの表示制御方法及び通信端末に関するもので、さらに詳しくは、ユーザがインスタントメッセージの確認にあたり、視認性を改善させるメッセンジャーの表示制御方法及び通信端末に関する。
【背景技術】
【０００２】
今日、インターネットなど通信網の急激な発展と共に通信網を介したメッセンジャーサービスが一般化されている。すなわち、インターネットを利用して、インターネットユーザは他のユーザといつ、どこでも容易にメッセージをやり取りすることができ、メッセンジャーサービスは生活全般に渡り多くの変化をもたらしている。メッセンジャーサービスは、移動通信の発展によってモバイルメッセンジャーとして国境を超える公の対話手段として利用されており、そのユーザ数は次第に増加しており、これに伴いメッセンジャーを基盤としたサービスが増加している。
【０００３】
メッセンジャーサービスは、ユーザ間の対話形式で情報を伝達させるサービスである。
【０００４】
前述の背景技術は、発明者が本発明の導出のために保有していたり、本発明の導出過程で習得した技術情報であり、必ずしも本発明の出願前に一般公衆に公開された公知技術とすることはできない。なお、関連先行文献としては、特許文献１がある。
【先行技術文献】
【特許文献】
【０００５】
【特許文献１】韓国公開特許公報第１０−２０１２−０００２７６６号
【発明の概要】
【発明が解決しようとする課題】
【０００６】
本発明が解決しようとする課題は、インスタントメッセージに対応する吹き出しにエフェクトを適用することで、ユーザがインスタントメッセージを確認するのにあたり、視認性を改善させるメッセンジャーの表示制御方法及び通信端末を提供することである。
【０００７】
また、本発明が解決しようとする課題は、対話相手の吹き出しに対してエフェクトを適用することで、ユーザが対話相手のインスタントメッセージを確認するのにあたり、視認性を改善させるメッセンジャーの表示制御方法及び通信端末を提供することである。
【０００８】
そしてまた、本発明が解決しようとする課題は、対話相手の吹き出しに順位を付け、順位によって適用されるエフェクト強度に差を設定することで、チャット画面全般に渡り吹き出しに段階的にエフェクトが適用されるような効果を与えるメッセンジャーの表示制御方法及び通信端末を提供することである。
【課題を解決するための手段】
【０００９】
本発明の一実施例は、対象吹き出し決定部が、第１条件に基づいてチャット画面内の対話相手の吹き出しのうちエフェクトを適用する対象吹き出しを決定するステップと、エフェクト決定部が、第２条件に基づいて前記対象吹き出しに適用される前記エフェクトを決定するステップ及びエフェクト適用部が前記対象吹き出しに前記エフェクトを適用するステップと、を含むメッセンジャーの表示制御方法又はメッセンジャー基盤吹き出し表示方法を開示する。
【００１０】
本発明の他の一実施例は、コンピュータを利用して前記方法を実行させるために媒体に保存されたコンピュータプログラムを開示する。
【００１１】
本発明のさらに他の一実施例は、前記方法をコンピュータで実行させるためのプログラムを配布する配布サーバを開示する。
【００１２】
本発明のさらに他の一実施例は、第１条件に基づいて、チャット画面内の対話相手の吹き出しのうち、エフェクトを適用する対象吹き出しを決定する対象吹き出し決定部と、第２条件に基づいて、前記対象吹き出しに適用される前記エフェクトを決定するエフェクト決定部及び前記対象吹き出しに、前記エフェクトを適用するエフェクト適用部と、を含む通信端末を開示する。
【発明の効果】
【００１３】
本発明の実施例によるメッセンジャーの表示制御方法、及び通信端末の一例であるメッセンジャー基盤吹き出し表示装置により、インスタントメッセージに対応する吹き出しにエフェクトを適用することで、ユーザがインスタントメッセージを確認する際に、視認性が改善される。
【００１４】
また、本発明の実施例によるメッセンジャーの表示制御方法、及び通信端末の一例であるメッセンジャー基盤吹き出し表示装置により、対話相手の吹き出しに対してエフェクトを適用することで、ユーザが対話相手のインスタントメッセージを確認する際に、視認性が改善される。
【００１５】
そしてまた、本発明の実施例によるメッセンジャーの表示制御方法、及び通信端末の一例であるメッセンジャー基盤吹き出し表示装置により、対話相手の吹き出しに順位を付け、順位によって適用されるエフェクト強度に差等を設定することにより、チャット画面全般に渡り吹き出しに段階的にエフェクトが適用されるような効果を与えることができる。
【図面の簡単な説明】
【００１６】
【図１】本発明の一実施例によるメッセンジャー基盤吹き出し表示システムの構成を示した図面である。
【図２】図１に図示された吹き出し表示装置の内部構成を示したブロック図である。
【図３】本発明の一実施例によるメッセンジャーの表示制御方法を示した動作フローチャートである。
【図４】図１に図示された吹き出し表示装置に、端末アプリケーションが実行されている画面の一例である。
【図５】図１に図示された吹き出し表示装置に、端末アプリケーションが実行されている画面の他の例である。
【図６】図１に図示された吹き出し表示装置に、端末アプリケーションが実行されている画面のさらに他の例である。
【発明を実施するための形態】
【００１７】
本発明は、多様な変更を加えることで、さまざまな実施例を有することができるが、特定の実施例を図面に例示し、詳細な説明において詳細に説明する。本発明の効果及び特徴、そしてそれらを達成する方法は、図面と共に詳細に説明する実施例を参照すれば、明確になるであろう。しかし、本発明は、以下で開示される実施例に限定されるものではなく、多様な形態で実現される。以下の実施例にで、第１、第２のような用語は、限定的な意味ではなく、１つの構成要素を他の構成要素と区別する目的で使用されている。また、単数の表現は、文脈上明確に異なって意味しない限り、複数の表現を含む。また、「含む」または「有する」というような用語は、明細書上に記載された特徴または構成要素が存在することを意味するものであり、１つ以上の他の特徴または構成要素が付加される可能性をあらかじめ排除するものではない。また、図面では、説明の便宜上、構成要素がその大きさが誇張または縮小されることもある。例えば、図面に示された各構成の大きさ及び厚みは、説明の便宜上、任意に示されており、本発明が必ずしも図示されたところに限定されるものではない。
【００１８】
以下、添付図面を参照し、本発明の実施例を詳細に説明するが、図面を参照して説明するとき、同一、あるいは対応する構成要素は同一図面符号を付し、それに係わる重複説明は省略する。
【００１９】
図１は、本発明の一実施例によるメッセンジャーサービス提供システム１の構成を示した図面である。図１を参照すれば、本発明の一実施例によるメッセンジャーサービス提供システム１は、メッセンジャーサービス提供装置１００及び通信端末の一例である吹き出し表示装置２００を含む。また、複数個の吹き出し表示装置２００と、メッセンジャーサービス提供装置１００とを相互連結する通信網３００を含む。
【００２０】
本発明の一実施例によるメッセンジャーサービス提供装置１００は、通信端末の一例である吹き出し表示装置２００に搭載された端末アプリケーションのチャット画面を介して、インスタントメッセージを表示させ、吹き出し表示装置２００は、インスタントメッセージに対応する吹き出しにエフェクトを適用することにより、ユーザがインスタントメッセージを確認するにあたり、視認性を改善させることを特徴とする。
【００２１】
メッセンジャーサービス提供装置１００は、吹き出し表示装置２００にインスタントメッセージングサービスを提供する以外にも広告、一般的な検索サービス及びその他ユーザの便宜を増進させる多様なサービスを提供することもできる。すなわち、本発明のメッセンジャーサービス提供装置１００は、広告サービス、検索、電子メール、ブログ、ソーシャルネットワークサービス（social  network  service）、ニュース、ショッピング情報提供のような多様なサービスを提供することができる。
【００２２】
または、メッセンジャーサービス提供装置１００は、インスタントメッセージングサービスを提供するサーバに連結され、吹き出し表示装置２００で吹き出しが表示されるように、吹き出し表示装置２００にインスタントメッセージを提供するサーバでもある。ここで、メッセンジャーサービス提供装置１００とインスタントメッセージングサービス提供サーバは、物理的に分離された別途のサーバでもあり、概念的にのみ分離された同一サーバでもある。
【００２３】
吹き出し表示装置２００は、メッセンジャーサービス提供装置１００から提供されたインスタントメッセージを端末アプリケーションを介してチャット画面内の吹き出し形態で表示することができる。吹き出し表示装置２００はユーザがインスタントメッセージを確認するにあたり、視認性が改善されるように特定条件に対応する吹き出しに対して視認性改善のためのエフェクトを適用することができる。
【００２４】
複数個の吹き出し表示装置２００は、有無線通信環境において端末アプリケーションを利用することができる通信端末器を意味する。ここで、吹き出し表示装置２００は、ユーザのパソコン２０１でもあり、またはユーザの携帯用端末機２０２でもある。図１では、携帯用端末機がスマートフォンとして図示されているが、本発明の思想はそれに制限されるものではなく、前述のように端末アプリケーションを搭載した端末であるならば、制限なしに適用されるのである。
【００２５】
これについてさらに詳細に説明すれば、通信端末の一例である吹き出し表示装置２００は、コンピュータ（例えば、デスクトップ、ラップトップ、タブレットなど）、メディアコンピュータプラットフォーム（例えば、ケーブル、衛星セットトップボックス、デジタルビデオレコーダ）、ハンドヘルドコンピュータデバイス（例えば、ＰＤＡ（personal  digital  assistant）、電子メールクライアントなど）、携帯電話の任意形態、あるいは他種のコンピュータまたはコミュニケーションプラットフォームの任意の形態を含んでもよいが、本発明はこれに限定されるものではない。
【００２６】
一方、通信網３００は、複数個の吹き出し表示装置２００とメッセンジャーサービス提供装置１００とを連結する役割を行う。すなわち、通信網３００は、吹き出し表示装置２００がメッセンジャーサービス提供装置１００に接続した後、データを送受信することができるように接続経路を提供する通信網を意味する。通信網３００は、例えば、ＬＡＮｓ（Local  Area  Networks）、ＷＡＮｓ（Wide  Area  Networks）、ＭＡＮｓ（Metropolitan  Area  Networks）、ＩＳＤＮｓ（Integrated  Service  Digital  Networks）などの有線ネットワークや、無線ＬＡＮｓ、ＣＤＭＡ（Code  Division  Multiple  Access）、ブルートゥース（登録商標（Bluetooth））、衛星通信などの無線ネットワークを網羅することができるが、本発明の範囲がこれらに限定されるものではない。
【００２７】
図２は、図１に図示された吹き出し表示装置２００の内部構成を示したブロック図である。図２を参照すれば、本発明の一実施例による広告提供システム１の吹き出し表示装置２００は、通信部２１０、メモリ２２０、プログラム保存部２３０、制御部２４０、データベース（ＤＢ）２５０、対象吹き出し決定部２６０、エフェクト決定部２７０、エフェクト適用部２８０及び追加エフェクト適用部２９０を含む。
【００２８】
詳細には、通信部２１０は通信網３００と連動し、メッセンジャーサービス提供装置１００と吹き出し表示装置２００との送受信信号をパケットデータで提供するのに必要な通信インターフェースを提供する。さらに、通信部２１０はメッセンジャーサービス提供装置１００において、チャット画面更新要請を送信するか、対話通知のためのプッシュメッセージを受信する役割を行うことができる。
【００２９】
ここで、通信部２１０は他のネットワーク装置と有無線連結を介して、制御信号またはデータ信号のような信号を送受信するために必要なハードウェア及びソフトウェアを含む装置でもある。
【００３０】
メモリ２２０は、制御部２４０が処理するデータを一時的または永久に保存する機能を遂行する。ここで、メモリ２２０は磁気記録媒体（magnetic  storage  media）またはフラッシュ記録媒体（flash  storage  media）を含むこともできるが、本発明の範囲がこれらに限定されるものではない。
【００３１】
プログラム保存部２３０は、エフェクトを適用する対象吹き出しを決定する作業、対象吹き出しに適用されるエフェクトを決定する作業及び対象吹き出しにエフェクトを適用する作業などを遂行する制御ソフトウェアを搭載している。
【００３２】
制御部２４０は、一種の中央処理装置であり、メッセンジャーサービス提供装置１００からインスタントメッセージを受信し、当該メッセージを端末アプリケーションのチャット画面内において、吹き出し形態でユーザに表示する全過程を制御する。すなわち、制御部２４０は、プログラム保存部２３０に搭載された制御ソフトウェアを駆動し、メッセンジャーサービス提供装置１００からインスタントメッセージを受信したら、対象吹き出し決定部２６０、エフェクト決定部２７０、エフェクト適用部２８０及び追加エフェクト適用部２９０を制御し、視認性が改善された吹き出しを表示する等の多様な機能を提供することができる。
【００３３】
ここで、制御部２４０は、プロセッサのようにデータを処理することができる全ての種類の装置を含むことができる。ここで「プロセッサ」は、例えば、プログラム内に含まれたコードまたは命令によって表現された機能を遂行するために物理的に構造化された回路を有するハードウェアに内蔵されたデータ処理装置を意味する。このように、ハードウェアに内蔵されたデータ処理装置の一例として、マイクロプロセッサ（microprocessor）、中央処理装置（ＣＰＵ：central  processing  unit）、プロセッサコア（processor  core）、マルチプロセッサ（multiprocessor）、ＡＳＩＣ（application-specific  integrated  circuit）、ＦＰＧＡ（field  programmable  gate  array）のような処理装置を網羅することができるが、本発明の範囲がこれに限定されるものではない。
【００３４】
データベース２５０は、吹き出し表示装置２００が提供するインスタントメッセージを保存するデータベースを含む。データベース２５０には、各インスタントメッセージを固有に識別するためのメッセージ識別子が保存され、メッセージ識別子には、メッセージ内容と当該メッセージに関連した各種情報とがマッピングされる。例えば、１つのメッセージ識別子には、当該メッセージ内容、作成時刻、作成者、共有現況などがマッピングされる。また、データベース２５０には、各メッセージ識別子にエフェクト適用対象を決定するのに利用される変数がマッピングされて保存される。エフェクト適用対象を決定するのに利用される変数は、最近選択されたか、ユーザが読んだか、最近生成されたか及び画面の下端位置であるかなどを含むことができる。
【００３５】
対象吹き出し決定部２６０は、チャット画面内の対話相手の吹き出しのうち、エフェクトを適用する対象吹き出しを決定する。対象吹き出し決定部２６０は、最近選択されたか、ユーザが読んだか、最近生成されたか及び下端位置であるかのうち、いずれか１つ以上の条件に基づいて、対象吹き出しを決定することができる。それぞれの条件については、以下で詳細に説明する。
【００３６】
選択的実施例で、対象吹き出し決定部２６０は、複数の吹き出しを対象吹き出しとして決定することができる。この場合、エフェクト決定部２７０によって、複数の吹き出しそれぞれについて互いに異なる種類あるいは互いに異なる強度のエフェクトが決定される。例えば、チャット画面に時間順に対話相手の第１吹き出し乃至第４吹き出しが生成されており、対象吹き出し決定部２６０によって、これらのうち第３吹き出し及び第４吹き出しが対象吹き出しとして決定される場合、エフェクト決定部２７０によって、第３吹き出し及び第４吹き出しのそれぞれに互いに異なる強度のエフェクトが決定される。
【００３７】
選択的実施例で、対象吹き出し決定部２６０は、最近選択されたかに基づき、対象吹き出しを決定することができる。例えば、対象吹き出し決定部２６０は、対話相手の吹き出しのうち、ユーザが最近選択した順に既設定個数の吹き出しを対象吹き出しとして決定することができる。例えば、チャット画面に時間順に対話相手の第１吹き出し乃至第４吹き出しが生成されており、既設定個数が２つである場合、ユーザが第４吹き出し、第３吹き出し、第２吹き出し及び第１吹き出しの順序で選択した場合、対象吹き出し決定部２６０は、第４吹き出し及び第３吹き出しを対象吹き出しとして決定することができる。ここで、ユーザの選択は吹き出しを対象にしたクリック動作などによって、当該吹き出しが選択されることを意味し、対象吹き出し決定部２６０は、ユーザの選択が発生した順序に基づいて対象吹き出しを決定することができる。
【００３８】
選択的実施例で、対象吹き出し決定部２６０はユーザが読んだかに基づいて、対象吹き出しを決定することができる。例えば、対象吹き出し決定部２６０は対話相手の吹き出しのうち、ユーザが最近読んだ順に既設定個数の吹き出しを対象吹き出しとして決定することができる。例えば、チャット画面に時間順に対話相手の第１吹き出し乃至第４吹き出しが生成されており、既設定個数が１つであり、ユーザが第１吹き出し及び第２吹き出しを以前に読み、第３吹き出し及び第４吹き出しを現在読んだ場合、対象吹き出し決定部２６０は第３吹き出し及び第４吹き出しを対象吹き出しとして決定することができる。ここで、特定吹き出しを読んだかは、画面内に当該吹き出しが表示されているかによって決定され、画面内に吹き出しが最初に表示された時点が吹き出しを読んだ時点として保存される。
【００３９】
選択的実施例で、対象吹き出し決定部２６０は、最近生成されたかに基づいて、対象吹き出しを決定することができる。例えば、対象吹き出し決定部２６０は対話相手の吹き出しのうち、最近生成された順に既設定個数の吹き出しを対象吹き出しとして決定することができる。例えば、チャット画面に時間順に対話相手の第１吹き出し乃至第４吹き出しが生成されており、既設定個数が２つである場合、対象吹き出し決定部２６０は最近生成された第４吹き出し及び第３吹き出しを対象吹き出しとして決定することができる。
【００４０】
選択的実施例で、対象吹き出し決定部２６０は下端位置であるかに基づいて、対象吹き出しを決定することができる。例えば、対象吹き出し決定部２６０は端末アプリケーション画面で表示される対話相手の吹き出しのうち、画面の最も下端に位置した順に既設定個数の吹き出しを対象吹き出しとして決定することができる。例えば、チャット画面に時間順に対話相手の第１吹き出し乃至第４吹き出しが生成され、画面上端から順番に羅列されており、既設定個数が２つである場合、対象吹き出し決定部２６０は端末アプリケーション画面で最も下端に位置した第４吹き出し及びその上に位置した第３吹き出しを対象吹き出しとして決定することができる。
【００４１】
エフェクト決定部２７０は、対象吹き出しに適用されるエフェクトを決定する。
【００４２】
エフェクト決定部２７０は、対象吹き出しに対応するオブジェクトに適用される視覚的効果を含むエフェクトを決定することができる。例えば、対象吹き出しに対応するオブジェクトは対象吹き出しのフレーム及び対象吹き出し内テキストのうち、いずれか１つ以上でもあり、エフェクトは当該オブジェクトのサイズ増大、当該オブジェクトの色相変更及び当該オブジェクトの太さ増大のうち、いずれか１つ以上の視覚的効果を含むことができる。
【００４３】
選択的実施例で、エフェクト決定部２７０は対象吹き出しそれぞれに対し順位を付け、対象吹き出しの順位が高い順に視覚的効果の強度が高くなるように、エフェクトを決定することができる。すなわち、エフェクト決定部２７０は、対象吹き出しの順位によって、エフェクト強度に差等をおき、チャット画面全般に渡り吹き出しにエフェクトが段階的に適用されるような効果を与えることができる。エフェクト決定部２７０は、最近選択されたか、ユーザが読んだか、最近生成されたか及び下端位置であるかうち、いずれか１つ以上の条件に基づいて対象吹き出しに順位を付けることができる。
【００４４】
対象吹き出し決定部２６０で、対象吹き出しを決定するのに利用される条件及びエフェクト決定部２７０にでエフェクトを決定するのに利用される条件は、互いに同一であっても、異なっていてもよい。
【００４５】
選択的実施例で、エフェクト決定部２７０は対話相手の吹き出しのうち、ユーザが最近選択した吹き出しであるほど高い順位が付けられる。例えば、チャット画面に時間順に対話相手の第１吹き出し乃至第４吹き出しが生成されており、ユーザが第４吹き出し、第３吹き出し、第２吹き出し及び第１吹き出しの順序で選択した場合、エフェクト決定部２７０は第４吹き出しに１位、第３吹き出しに２位、第２吹き出しに３位、第１吹き出しに４位を付すことができる。
【００４６】
選択的実施例で、エフェクト決定部２７０は対話相手の吹き出しのうち、ユーザが最近読んだ吹き出しであるほど高い順位が付けられる。例えば、チャット画面に時間順に対話相手の第１吹き出し乃至第４吹き出しが生成されており、ユーザが第１吹き出し及び第２吹き出しを以前に読み、第３吹き出し及び第４吹き出しを現在読んだ場合、エフェクト決定部２７０は、第３吹き出し及び第４吹き出しに１位、第１吹き出し及び第２吹き出しに２位を付すことができる。
【００４７】
選択的実施例で、エフェクト決定部２７０は対話相手の吹き出しのうち、最近生成された吹き出しであるほど高い順位が付けられる。例えば、チャット画面に時間順に対話相手の第１吹き出し乃至第４吹き出しが生成されている場合、エフェクト決定部２７０は第４吹き出しに１位、第３吹き出しに２位、第２吹き出しに３位、第１吹き出しに４位を付すことができる。
【００４８】
選択的実施形態で、エフェクト決定部２７０は端末アプリケーション画面で表示される対話相手の吹き出しのうち、画面の最も下端に位置した吹き出しであるほど高い順位が付けられる。例えば、チャット画面に時間順に対話相手の第１吹き出し乃至第４吹き出しが生成されている場合、エフェクト決定部２７０は、端末アプリケーション画面で最も下端に位置した第４吹き出しに１位、その上に位置した第３吹き出しに２位、その上に位置した第２吹き出しに３位、その上に位置した第１吹き出しに４位を付すことができる。
【００４９】
選択的実施例で、エフェクト決定部２７０は吹き出しの順位が高いほど吹き出しのフレームやテキストの大きさがより大きくなる視覚的効果を決定することができる。例えば、ユーザの吹き出し内テキストを表示する大きさを基準に２位の吹き出しに１．５倍のサイズ増大効果が適用される場合、１位吹き出しには２倍のサイズ増大効果が適用される。
【００５０】
選択的実施例で、エフェクト決定部２７０は吹き出しの順位が高いほど吹き出しのフレームやテキストの色相がより多く変更される視覚的効果を決定することができる。例えば、ユーザの吹き出し内色相を基準に、２位の吹き出しに第１値ほどの色相値（hue）移動効果が適用される場合、１位吹き出しには第１値より大きい第２値ほどの色相値移動効果が適用される。
【００５１】
選択的実施例で、エフェクト決定部２７０は吹き出しの順位が高いほど、吹き出しのフレームやテキストの太さがより多く増大される視覚的効果を決定することができる。例えば、ユーザの吹き出し内テキストを表示する基本の太さを基準に、２位の吹き出しに１．５倍の太さ増大効果が適用される場合、１位吹き出しには２倍の太さ増大効果が適用される。
【００５２】
エフェクト適用部２８０は、対象吹き出しにエフェクトを適用する。エフェクト適用部２８０は、対象吹き出しに対応するオブジェクトにエフェクトに含まれた視覚的効果を適用することができる。
【００５３】
追加エフェクト適用部２９０は、ユーザからチャット画面に対する選択信号が入力された場合、それに基づいてチャット画面に追加エフェクトを適用する。選択信号は、吹き出し及びチャット画面の背景などチャット画面内のオブジェクトを対象にしたダブルクリック動作、クリック後のホールディング動作、ドラッギング動作、ピンチ動作、アンピンチ動作などによって生じる。
【００５４】
選択的実施例で、追加エフェクト適用部２９０は対話相手の吹き出しに対する選択信号が入力された場合、選択された吹き出し内テキストを別途の画面を介して拡大表示することができる。例えば、追加エフェクト適用部２９０は、対話相手の吹き出しに対してダブルクリック動作による選択信号が入力される場合、選択された吹き出し内テキストを別途の画面を介して３倍の大きさに拡大して表示することができる。
【００５５】
選択的実施例で、追加エフェクト適用部２９０はチャット画面の背景に対する選択信号が入力された場合、チャット画面内の吹き出しに適用されたエフェクトを解除することができる。例えば、チャット画面に時間順に対話相手の第１吹き出し乃至第４吹き出しが生成されており、第４吹き出しにテキストサイズを２倍に増大させるエフェクト、第３吹き出しにテキストサイズを１．５倍に増大させるエフェクト、第２吹き出しにテキストサイズを１．２倍に増大させるエフェクトがそれぞれ適用されている状態で、追加エフェクト適用部２９０はチャット画面背景に対してクリック後のホールディング動作による選択信号が入力される場合、第２吹き出し、第３吹き出し及び第４吹き出しに適用されたエフェクトを解除し、各吹き出しのテキストサイズを１倍に減少させることができる。
【００５６】
図３は、本発明の一実施例によるメッセンジャーの表示制御方法の一例である吹き出し表示方法を示した動作フローチャートである。図３を参照すれば、本発明の一実施例によるメッセンジャーの表示制御方法の一例である吹き出し表示方法は、対象吹き出し決定部２６０が対話相手の吹き出しのうち、エフェクトを適用する吹き出しを決定するＳ３１０段階、エフェクト決定部２７０が対象吹き出しに適用されるエフェクトを決定するＳ３２０段階及びエフェクト適用部２８０が対象吹き出しにエフェクトを適用するＳ３３０段階を含む。
【００５７】
まず、対象吹き出し決定部２６０が、チャット画面内の対話相手の吹き出しに対し、第１条件に基づいて対話相手の吹き出しのうち、エフェクトを適用する対象吹き出しを決定する（Ｓ３１０）。
【００５８】
Ｓ３１０段階で、対象吹き出し決定部２６０は、第１条件として最近選択したか、ユーザが読んだか、最近生成したか及び下端位置であるかのうち、いずれか１つ以上の条件に基づいて対象吹き出しを決定することができる。
【００５９】
次に、エフェクト決定部２７０が、第２条件に基づいて対象吹き出しに適用されるエフェクトを決定する（Ｓ３２０）。
【００６０】
Ｓ３２０段階で、エフェクト決定部２７０は、エフェクトとして吹き出しのフレーム及び吹き出し内テキストに対し、サイズ増大、色相変更及び太さ増大のうち、いずれか１つ以上の視覚的効果を決定することができる。
【００６１】
Ｓ３２０段階で、エフェクト決定部２７０は、対象吹き出しそれぞれに対し順位を付け、対象吹き出しの順位が高い順に視覚的効果の強度が高くなるようにエフェクトを決定することができる。
【００６２】
Ｓ３２０段階で、エフェクト決定部２７０は、第２条件として最近選択されたか、ユーザが読んだか、最近生成されたか及び下端位置であるかのうち、いずれか１つ以上の条件に基づいて対象吹き出しに順位を付すことができる。
【００６３】
次に、エフェクト適用部２８０が、Ｓ３１０段階で決定された対象吹き出しにＳ３２０段階で決定されたエフェクトを適用する（Ｓ３３０）。
【００６４】
たとえ図３には図示されていないにしても、本発明の一実施例によるメッセンジャーの表示制御方法の一例である吹き出し表示方法は、追加エフェクト適用部２９０がチャット画面に対する選択信号に基づいて、チャット画面に追加エフェクトを適用する段階をさらに含むことができる。
【００６５】
図４は、図１に図示された吹き出し表示装置２００に、端末アプリケーションが実行されている画面の一例である。
【００６６】
図４（ａ）を参照すれば、吹き出し表示装置２００上には、チャット画面４００ａが表示される。チャット画面４００ａには、時間順にユーザの吹き出し４１０及び対話相手の吹き出し４２１ａ乃至４２４ａが生成されている。
【００６７】
対話相手の吹き出し４２１ａ乃至４２４ａは、対象吹き出し決定部２６０によって、ユーザが最近読んだ順に既設定個数の吹き出しが対象吹き出しとして決定され、エフェクト決定部２７０によって、ユーザが最近読んだ吹き出しであるほど高い順位が付けられ、エフェクト適用部２８０によって、対象吹き出しの順位が高い順に視覚的効果の強度が高いエフェクトが適用される。
【００６８】
例えば、図４（ａ）では、既設定個数が４つであり、ユーザが対話相手の吹き出し４２１ａ乃至４２４ａのうち、吹き出し４２１ａを最も先に読み、吹き出し４２２ａ及び吹き出し４２３ａをその次に読み、吹き出し４２４ａを最後に読んだ場合であり、最近読んだ３つの吹き出し４２２ａ、４２３ａ、４２４ａが対象吹き出しとして決定され、吹き出し４２４ａに１位、吹き出し４２２ａ、４２３ａに２位、吹き出し４２１ａに３位が付される。１位の吹き出し４２４ａについては、テキストサイズを２倍に増大させるエフェクト、２位吹き出し４２２ａ、４２３ａについては、テキストサイズを１．５倍に増大させるエフェクト、３位吹き出し４２１ａについては、テキストサイズを１．２倍に増大させるエフェクトが適用される。
【００６９】
図４（ａ）にで、ユーザが吹き出し４２３ａをクリック（４３１）した後、吹き出し４２２ａをクリック（４３２）する場合、吹き出し４２１ａ乃至４２４ａの順位が変更され、図４（ｂ）のような画面が表示される。
【００７０】
図４（ｂ）を参照すれば、対話相手の吹き出し４２１ｂ乃至４２４ｂは、対象吹き出し決定部２６０によって、ユーザが最近選択した順に既設定個数の吹き出しが対象吹き出しとして決定され、エフェクト決定部２７０によって、ユーザが最近選択した吹き出しであるほど、高い順位が付けられ、エフェクト適用部２８０によって、対象吹き出しの順位が高い順に視覚的効果の強度が高いエフェクトが適用される。
【００７１】
例えば、図４（ｂ）では既設定個数が２つであり、ユーザが対話相手の吹き出し４２１ｂ乃至４２４ｂを吹き出し４２３ｂ及び吹き出し４２２ｂの順序でクリックして選択した場合であり、最近選択された２つの吹き出し４２２ｂ、４２３ｂが対象吹き出しとして決定され、吹き出し４２２ｂに１位、吹き出し４２３ｂに２位が付される。１位吹き出し４２２ｂについては、テキストサイズを２倍に増大させるエフェクト、２位吹き出し４２３ｂについては、テキストサイズを１．５倍に増大させるエフェクトが適用される。
【００７２】
また、図４（ａ）にで１位だった吹き出し４２４ａの場合、ユーザの吹き出し４２１ｂ乃至４２４ｂに対する選択により順位が３位に変更され、吹き出し４２４ｂは、テキストサイズを１．２倍に増大させるエフェクトが適用され、図４（ａ）で３位だった吹き出し４２１ａの場合、ユーザの吹き出し４２１ｂ乃至４２４ｂに対する選択により、対象吹き出しから除かれ、適用されていたエフェクトが解除される。
【００７３】
図５は、図１に図示された吹き出し表示装置２００に端末アプリケーションが実行されている画面の他の例である。
【００７４】
図５（ａ）を参照すれば、吹き出し表示装置２００上には、チャット画面５００ａが表示される。チャット画面５００ａには、時間順にユーザの吹き出し５１０及び対話相手の吹き出し５２１ａ乃至５２４ａが生成されている。
【００７５】
対話相手の吹き出し５２１ａ乃至５２４ａは、対象吹き出し決定部２６０によって、最近生成された順に既設定個数の吹き出しが対象吹き出しとして決定され、エフェクト決定部２７０によって、最近生成された吹き出しであるほど、高い順位が付けられ、エフェクト適用部２８０によって、対象吹き出しの順位が高い順に、視覚的効果の強度が高いエフェクトが適用される。
【００７６】
例えば、図５（ａ）では既設定個数が３つであり、最近生成された３つの吹き出し５２２ａ、５２３ａ、５２４ａが対象吹き出しとして決定され、吹き出し５２４ａに１位、吹き出し５２３ａに２位、吹き出し５２２ａに３位が付される。１位吹き出し５２４ａについては、テキストの太さを２倍に増大させるエフェクト、２位吹き出し５２３ａについては、テキストの太さを１．５倍に増大させるエフェクト、３位吹き出し５２２ａについては、テキストの太さを１．２倍に増大させるエフェクトが適用される。
【００７７】
図５（ａ）で、ユーザが以前画面を表示するために下方向にスクローリング（５３０）する場合、画面内に表示される吹き出し５２１ａ乃至５２４ａが吹き出し５２１ｂ乃至５２４ｂに変更され、図５（ｂ）のような画面が表示される。
【００７８】
図５（ｂ）を参照すれば、対話相手の吹き出し５２１ｂ乃至５２４ｂは、対象吹き出し決定部２６０によって、画面の最も下端に位置した順に既設定個数の吹き出しが対象吹き出しとして決定され、エフェクト決定部２７０によって、画面の最も下端に位置した吹き出しであるほど、高い順位が付けられ、エフェクト適用部２８０によって、対象吹き出しの順位が高い順に視覚的効果の強度が高いエフェクトが適用される。
【００７９】
例えば、図５（ｂ）では、既設定個数が３つであり、ユーザがスクローリング（５３０）し、画面内に表示される吹き出し５２１ａ乃至５２４ａが吹き出し５２１ｂ乃至５２４ｂに変更される場合、最も下端に位置した３つの吹き出し５２２ｂ、５２３ｂ、５２４ｂが対象吹き出しとして決定され、吹き出し５２４ｂに１位、吹き出し５２３ｂに２位、吹き出し５２２ｂに３位が付される。１位吹き出し５２４ｂについては、テキストの太さを２倍に増大させるエフェクト、２位吹き出し５２３ｂについては、テキストの太さを１．５倍に増大させるエフェクト、３位吹き出し５２２ｂについては、テキストの太さを１．２倍に増大させるエフェクトが適用される。
【００８０】
図６は、図１に図示された吹き出し表示装置２００に端末アプリケーションが実行されている画面のさらに他の例である。
【００８１】
図６を参照すれば、図６（ａ）で、ユーザが吹き出し４２２ａに追加入力を行う（６３０）場合、追加エフェクト適用部２９０が吹き出し４２２ａに対し追加エフェクトを適用し、図６（ｂ）のような画面が表示される。
【００８２】
例えば、図６（ａ）で、ユーザが吹き出し４２２ａにダブルクリック（６３０）する場合、吹き出し４２２ａのテキストを図６（ｂ）のように別途の画面６４０を介して、３倍の大きさに拡大して表示することができる。
【００８３】
以上で説明した本発明による実施例は、多様なコンピュータ構成要素を介して実行されるプログラム命令語の形態で実現され、コンピュータで判読可能な記録媒体に記録される。前記コンピュータで判読可能な記録媒体は、プログラム命令語、データファイル、データ構造などを単独でまたは組み合わせて含むことができる。前記コンピュータで判読可能な記録媒体に記録されるプログラム命令語は、本発明のために特別に設計され構成されたものや、コンピュータソフトウェア分野の当業者に公知され使用可能なものであってもよい。コンピュータで判読可能な記録媒体の例としては、ハードディスク、フロッピー（登録商標）ディスク及び磁気テープのような磁気媒体、ＣＤ（compact  disc）−ＲＯＭ（read  only  memory）及びＤＶＤ（digital  versatile  disc）のような光記録媒体、フロプティカルディスク（floptical  disk）のような磁気−光媒体（magneto-optical  medium）及びＲＯＭ、ＲＡＭ（random  access  memory）、フラッシュメモリのようなプログラム命令語を保存し実行するように特別に構成されたハードウェア装置が含まれる。プログラム命令語の例としては、コンパイラによって作られるような機械語コードだけではなく、インタ−プリタなどを使用しコンピュータによって実行される高級言語コードも含まれる。ハードウェア装置は、本発明による処理を遂行するために１つ以上のソフトウェアモジュールで変更されることができ、その逆も同様である。
【００８４】
本発明で説明する特定実行は、一実施例であり、いかなる方法によっても本発明の範囲を限定するものではない。明細書の簡潔さのために、従来の電子的な構成、制御システム、ソフトウェア、前記システムの他の機能的な側面の記載は省略する。また、図面に図示された構成要素間の線の連結または連結部材は、機能的な連結及び／または物理的または回路的な連結を例示的に示したものであり、実際の装置では代替可能であったり、追加されたりする多様な機能的な連結、物理的な連結、または回路連結としても示される。また、「必須な」、「重要に」というように、具体的な言及がなければ、本発明適用のために必ずしも必要な構成要素ではないこともあり得る。
【００８５】
従って、本発明の思想は、前述の実施例に限り定められるものではなく、後述する特許請求の範囲だけではなく、本特許請求範囲と均等であるか、あるいはこれらから等価的に変更された全ての範囲は、本発明の思想の範疇に属するものである。
【産業上の利用可能性】
【００８６】
本発明のメッセンジャー基盤は、例えば、メッセージ受け取り関連の技術分野に効果的に適用可能である。
【符号の説明】
【００８７】
１      メッセンジャーサービス提供システム
１００  メッセンジャーサービス提供装置
２００  吹き出し表示装置
２０１  ユーザのパソコン
２０２  ユーザの携帯用端末機
３００  通信網
２１０  通信部
２２０  メモリ
２３０  プログラム保存部
２４０  制御部
２５０  データベース
２６０  対象吹き出し決定部
２７０  エフェクト決定部
２８０  エフェクト適用部
２９０  追加エフェクト適用部
【図１】
2016212878.tif 000003
【図２】
2016212878.tif 000004
【図３】
2016212878.tif 000005
【図４】
2016212878.tif 000006
【図５】
2016212878.tif 000007
【図６】
2016212878.tif 000008